(57)【要約】【課題】  記入内容を第三者に盗み見られない状態で隠蔽することを気軽に行えるようにした記入用紙を提供する。【解決手段】  用紙の一端側から順に、剥離剤塗布部と、粘着剤塗布部と、記入部とが設けられた記入用紙であって、前記用紙の一端側が２つに折り畳まれた形状を有し、前記剥離剤塗布部と粘着剤塗布部とが、前記２つ折り畳まれた用紙の重なり合う用紙上にそれぞれ設けられ、前記記入部が、前記粘着剤塗布部を有する用紙部分を折り畳んだ際に、前記粘着剤塗布部と重なり合う用紙上に設けられていることを特徴とする。【選択図】        図１
2007130859.tif 000002
【特許請求の範囲】
【請求項１】
用紙に、粘着剤塗布部と、記入部とが隣接して設けられた記入用紙であって、
前記記入用紙の一部が、２つに折り畳まれ前記粘着剤塗布部上に剥離可能に貼り合わされてなることを特徴とする記入用紙。
【請求項２】
用紙に、剥離剤塗布部と、粘着剤塗布部と、記入部とが設けられた記入用紙であって、
前記用紙の一端側が２つに折り畳まれた形状を有し、
前記剥離剤塗布部と粘着剤塗布部とが、前記２つに折り畳まれた用紙の重なり合う用紙上にそれぞれ設けられ、前記記入部が、前記粘着剤塗布部を有する用紙部分を折り畳んだ際に、前記粘着剤塗布部と重なり合う用紙上に設けられていることを特徴とする記入用紙。
【請求項３】
前記用紙の２つに折り畳まれた部分の折り部に、切り取り用ミシンが形成されていることを特徴とする請求項１又は請求項２記載の記入用紙。
【請求項４】
前記粘着剤塗布部を有する用紙部分と、前記記入部を有する用紙部分との間に、切り取り用ミシンが形成されていることを特徴とする請求項１又は請求項２記載の記入用紙。
【請求項５】
前記粘着剤塗布部を有する用紙部分と、前記記入部を有する用紙部分との間に、折り畳み予定線が表示されていることを特徴とする請求項１又は請求項２記載の記入用紙。
【請求項６】
前記粘着剤塗布部及び前記記入部を有する用紙部分が、葉書用紙であることを特徴とする請求項１又は請求項２記載の記入用紙。
【請求項７】
前記用紙が、アンケート用紙であることを特徴とする請求項１又は請求項２記載の記入用紙。
【発明の詳細な説明】
【技術分野】
【０００１】
本発明は、郵便葉書やアンケート用紙など種々の用紙に記入した内容を第三者に盗み見られない状態で隠蔽することができる記入用紙に関する。
【背景技術】
【０００２】
従来、郵便葉書やアンケート用紙など種々の用紙に個人情報などを記入して、その用紙を郵送したり、また、アンケート用紙回収箱などに入れたりすることで目的の相手に対してそれらの用紙を届けて情報の伝達を行うなどしている。
これら種々の用紙に記入された情報は、個人情報を含んでいるような第三者に見られては困るような情報であることも多く、第三者に盗み見られた場合には、様々な用途で悪用される危険性もある。
【０００３】
近年、特に個人情報保護の重要性が高まっていることから、記入用紙を配布して個人情報を収集する側において、収集した個人情報が漏洩しないように種々の方法で保護している場合が多いものの、用紙に記入された個人情報を表面上から見られる状態にしておけば用紙を取り扱う第三者によって簡単に盗み見られたり、またカメラで撮影されるなどして個人情報が不正に漏洩してしまう危険性がある。
【０００４】
このようなことから、従来、記入された情報の上に貼り付けて、情報が第三者によって簡単に盗み見られない状態とする隠蔽用ラベルが使用され、公知となっている。（例えば、特許文献１参照）
これらの隠蔽用ラベルは、情報を記入するための記入用紙に予め貼付させたり、また隠蔽用ラベルを記入用紙とは別体として添付するなどして、記入用紙に記入した情報の上に隠蔽用ラベルを貼り付けて記入情報が用紙上から直接的に見られない状態にしている。
【特許文献１】特開２００４−３２２４３０号公報
【発明の開示】
【発明が解決しようとする課題】
【０００５】
しかしながら、記入用紙に記入された情報を隠蔽するための隠蔽用ラベルを用意して記入者に渡すには、コストがかかると共に、隠蔽用ラベル作製のための手間もかかるという問題があり、特に大量の記入用紙を配布する際には気軽に隠蔽用ラベルの利用ができにくいという問題がある。
したがって、本発明は、記入内容を第三者に盗み見られない状態で隠蔽することを気軽に行えるようにした記入用紙を提供する。
【課題を解決するための手段】
【０００６】
本発明の記入用紙は、用紙に、粘着剤塗布部と、記入部とが隣接して設けられた記入用紙であって、前記記入用紙の一部が、２つに折り畳まれ前記粘着剤塗布部上に剥離可能に貼り合わされてなることを特徴とする。
【０００７】
また、本発明の記入用紙は、用紙に、剥離剤塗布部と、粘着剤塗布部と、記入部とが設けられた記入用紙であって、前記用紙の一端側が２つに折り畳まれた形状を有し、前記剥離剤塗布部と粘着剤塗布部とが、前記２つに折り畳まれた用紙の重なり合う用紙上にそれぞれ設けられ、前記記入部が、前記粘着剤塗布部を有する用紙部分を折り畳んだ際に、前記粘着剤塗布部と重なり合う用紙上に設けられていることを特徴とする。
【０００８】
更に、本発明の記入用紙は、前記用紙の２つに折り畳まれた部分の折り部に、切り取り用ミシンが形成されていることを特徴とする。
【０００９】
また、本発明の記入用紙は、前記粘着剤塗布部を有する用紙部分と、前記記入部を有する用紙部分との間に、切り取り用ミシンが形成されていることを特徴とする。
【００１０】
更に、本発明の記入用紙は、前記粘着剤塗布部を有する用紙部分と、前記記入部を有する用紙部分との間に、折り畳み予定線が表示されていることを特徴とする。
【００１１】
また、本発明の記入用紙は、前記粘着剤塗布部及び前記記入部を有する用紙部分が、葉書用紙であることを特徴とする。
【００１２】
更に、本発明の記入用紙は、前記用紙が、アンケート用紙であることを特徴とする。
【発明の効果】
【００１３】
本発明の記入用紙は、記入部に記入された情報が隠蔽状態にできるので、従来の隠蔽用ラベルに比べてコストをかけることなく、また手間もかけることなく、記入内容を第三者に盗み見られない状態で隠蔽することを気軽に行うことができるという効果がある。
【００１４】
本発明の記入用紙は、剥離剤塗布部を有する用紙部分を切り取り、粘着剤塗布部を有する用紙部分を折り畳んで記入部を覆い隠すことで、記入部に記入された情報が隠蔽状態とできるので、従来の隠蔽用ラベルに比べてコストをかけることなく、また手間もかけることなく、記入内容を第三者に盗み見られない状態で隠蔽することを気軽に行うことができるという効果がある。
【００１５】
また、本発明の記入用紙は、用紙の２つに折り畳まれた部分の折り部に、切り取り用ミシンが形成されていることで、剥離剤塗布部を有する用紙部分を簡単に切り取ることができるという効果がある。
【００１６】
更に、本発明の記入用紙は、粘着剤塗布部を有する用紙部分と、前記記入部を有する用紙部分との間に、切り取り用ミシンが形成されていることで、粘着剤塗布部を有する用紙部分を簡単に切り取ることができるという効果がある。
【００１７】
更に、本発明の記入用紙は、粘着剤塗布部を有する用紙部分と、記入部を有する用紙部分との間に折り畳み予定線が表示されていることで、正確な部分から用紙を折り畳んで記入部上に粘着剤塗布部を有する用紙部分を重ね合わせることができるという効果がある。
【００１８】
また、本発明の記入用紙は、粘着剤塗布部及び記入部を有する用紙部分が葉書用紙であるので、葉書に記入して情報を隠蔽して郵送することができるという効果がある。
【００１９】
更に、本発明の記入用紙は、用紙がアンケート用紙であるので、記入されたアンケートの回答情報を簡単に隠蔽状態とすることができるという効果がある。
【発明を実施するための最良の形態】
【００２０】
以下、本発明の実施形態に係る記入用紙について、図面に基づいて詳細に説明する。
図１は、本発明の第１実施形態に係る記入用紙である葉書用紙の表面から見た状態を示す斜視図、図２は、本発明の第１実施形態に係る記入用紙である葉書用紙の裏面から見た状態を示す斜視図、図３は、本発明の第１実施形態に係る記入用紙である葉書用紙の記入部を隠蔽させた状態を示す斜視図、図４は、図２のＡ−Ａ線断面図、図５は、本発明の第１実施形態に係る記入用紙である葉書用紙で、剥離剤塗布部を有する用紙部分を切り離した状態を示す断面図、図６は、本発明の第１実施形態に係る記入用紙である葉書用紙で、剥離剤塗布部を有する用紙部分を切り離し、粘着剤塗布部を有する用紙部分を折り畳んで記入部を隠蔽させた状態を示す断面図、図７は、本発明の第２実施形態に係る記入用紙であるアンケート用紙の表面から見た状態を示す斜視図、図８は、本発明の第２実施形態に係る記入用紙であるアンケート用紙の記入部を隠蔽させた状態を示す斜視図である。
【００２１】
本発明の第１実施形態に係る記入用紙からなる葉書用紙１は、図１及び図２に示すように、矩形状の用紙であって、郵便葉書として定められた寸法を有する葉書本体部２と、使用者が葉書本体部２に記入するための記入部５の記入事項を外部から見えない状態とするために、折り畳んで記入部上に重ね合わせ接着するための折り畳み予定部３と、剥離剤塗布部が設けられた剥離部４とを有し、剥離部４が２つに折り畳まれて折り畳み予定部３上に重ね合わされた状態で接着されている。
図２に示すように、葉書本体部２の裏面側には、葉書の使用者である差出人が記入するための記入部５が設けられている。
この記入部５には、差出人が第三者に知られては困るような事項を記入するための部分であって、例えば、電話番号、メールアドレス、勤め先、連絡事項など様々な個人情報を記入するための領域として設けられている。
【００２２】
また、葉書用紙１の２つに折り畳まれている折り畳み予定部３と剥離部４との折り部分には、切り取り用ミシン６が形成されている。
更に、粘着剤塗布部を有する用紙部分である折り畳み予定部３と、記入部を有する用紙部分である剥離部４との間には、折り畳み予定線７が表示されている。
この折り畳み予定線７は、葉書用紙１の表裏面の両方に表示してもよいし、またどちらか一方に表示するようにしてもよく、葉書の差出人が葉書用紙１を利用する際において、どこの部分から折り畳み予定部３を折り曲げればよいのかがわかるように表示されている。
【００２３】
葉書用紙１は、図４に示すように、用紙の一端側から順に、剥離剤が塗布された剥離剤塗布部８を有する剥離部４と、粘着剤が塗布された粘着剤塗布部９を有する折り畳み予定部３と、葉書の差出人が記入するための記入部５を有する葉書本体部２とが設けられている。
葉書用紙１の折り畳み予定部３上には剥離部４が重ね合わされて、粘着剤塗布部９と剥離剤塗布部８とが剥離可能に接着されている。
折り畳み予定部３の粘着剤塗布部９に用いられている粘着剤は、一旦接着させた後でも剥離できる粘度を有する粘着剤が使用されている。
これにより、折り畳み予定線７から折り畳み予定部３を折り畳んで、葉書本体部２の記入部５上に重ね合わせて粘着剤塗布部９で接着させたとしても、折り畳み予定部３の用紙部分を指で摘んで引っ張り上げることで必要に応じて、粘着剤塗布部９を有する用紙部分を剥離させて、記入部５に記入された内容を露出させて見ることができるようになっている。
【００２４】
次に、本発明の第１実施形態に係る記入用紙からなる葉書用紙１の使用例を説明する。
例えば、葉書用紙１は、郵便封筒に封入される種々の印刷物と共に同封される返信用の葉書用紙として受取人に発送される。
これらの葉書用紙１には、予め葉書受取人の宛先１０や連絡事項１１などが印刷されていると共に、葉書差出人が記入するための記入欄などの記入部５が設けられている。
そして、葉書用紙１が封入された郵便封筒の受取人が、その葉書用紙１を使用して返信を送る場合には、記入部５に必要事項を記入した後に、図５に示すように、葉書用紙１の剥離部４を粘着剤塗布部９の用紙部分から剥離して、更に切り取り用ミシン６から切り離し、粘着剤塗布部９を露出させる。
【００２５】
次に、図６に示すように、折り畳み予定線７から折り畳み予定部３の用紙部分を折り畳んで、葉書本体部２の記入部５上に重ね合わせて粘着剤塗布部９の用紙部分を接着させる。
これにより、記入部５に記入された事項が、粘着剤塗布部９の用紙部分で覆い隠された状態を有する郵便葉書の形体とすることができ、郵便ポストに投函するなどして郵送する。
そして、この郵便葉書の受取人は、粘着剤塗布部９の用紙部分を指で摘んで引き上げることで、記入部５の用紙部分から粘着剤塗布部９の用紙部分を剥離させることで、記入部５に記入された事項を読むことができるようになっている。
【００２６】
次に、本発明の第２実施形態に係る記入用紙であるアンケート用紙２０について、図７及び図８に基づいて説明する。
このアンケート用紙２０は、図７に示すように、横方向に対して順番に、アンケート本体２１と、折り畳み予定部２２と、剥離部２３とが連接している。
アンケート用紙２０の折り畳み予定部２２には、粘着剤が塗布された粘着剤塗布部２４が設けられ、また、剥離部２３には、剥離剤が塗布された剥離剤塗布部８が設けられ、粘着剤塗布部２４を有する用紙部分の上に、剥離剤塗布部８を有する用紙部分が折り畳まれて重ね合わされ、粘着剤で剥離可能に接着されている。
【００２７】
アンケート本体２１の表面には、左側部分にアンケートの質問内容２４が印刷され、また、その右側部分にはアンケート回答者の住所、氏名、回答内容を記入する記入欄からなる記入部２５が設けられている。
また、アンケート用紙２０の２つに折り畳まれている折り畳み予定部２２と剥離部２３との折り部分には、切り取り用ミシンが形成されている。
更に、粘着剤塗布部を有する用紙部分である折り畳み予定部２２と、記入部を有する用紙部分である剥離部２３との間には、折り畳み予定線２６が表示されている。
この折り畳み予定線２６には、切り取り用ミシンが形成されて簡単に切り取れるようになっている。
【００２８】
アンケート用紙２０の折り畳み予定部２２上には剥離部２３が重ね合わされて、粘着剤塗布部と剥離剤塗布部とが剥離可能に接着されている。
折り畳み予定部２２の粘着剤塗布部に用いられている粘着剤は、一旦接着させた後でも剥離できる粘度を有する粘着剤が使用されている。
これにより、折り畳み予定線２６から折り畳み予定部２２を折り畳んで、アンケート本体２１の記入部２５上に重ね合わせて粘着剤塗布部で接着させたとしても、折り畳み予定部２２の用紙部分を指で摘んで引っ張り上げることで必要に応じて、粘着剤塗布部を有する用紙部分を剥離させて、記入部２５に記入された内容を露出させて見ることができるようになっている。
【００２９】
次に、本発明の第２実施形態に係る記入用紙からなるアンケート用紙２０の使用例を説明する。
アンケートの回答者は、アンケート用紙２０のアンケート本体２１に印刷されている質問内容を読み、回答欄にそれらの回答事項を記入すると共に、住所、氏名などを記入する。
回答欄への記入が終了した後に、図８に示すように、剥離部２３を有する用紙部分を切り取り用ミシンから切り離し、粘着剤塗布部を露出させた後に、アンケート本体２１に記入された回答内容や、住所及び氏名などを外部から見えない状態とするために、折り畳み予定部２２の用紙部分を折り畳み予定線２６から折り畳んで、アンケート本体２１の記入部２５を覆い隠す状態となるように、記入部２５上に重ね合わせて粘着剤塗布部の粘着剤により接着させる。
【００３０】
アンケートの回答者は、記入部２５が折り畳み予定部２２の用紙部分で隠されていることを確認した後に、アンケート回収箱などに入れるなどして提出する。
提出されたアンケート用紙２０は、アンケート回答を見ることが許された担当者に届くまで記入部２５の内容が見られない状態で管理され、その担当者が受け取り、粘着剤塗布部２２の用紙部分を指で摘んで引き上げることで、記入部２５の用紙部分から粘着剤塗布部２２の用紙部分を剥離させることで、記入部２５に記入された回答内容を読むことができるようになっている。
【００３１】
本発明の記入用紙は、上記のように、記入された内容を一時的に第三者に見られない状態にして情報の漏洩防止を簡単に図れるように構成されているので、葉書用紙やアンケート用紙に限らず様々な用途の記入用紙に適応することができるものである。
【００３２】
また、本発明の記入用紙は、上記実施形態のように、剥離剤塗布部を有する用紙部分と、粘着剤塗布部を有する用紙部分と、記入部を有する用紙部分とを、用紙の一端側から一列方向に対して順番に設けてもよいし、また、粘着剤塗布部を有する用紙部分に対して、剥離剤塗布部を有する用紙部分と、記入部を有する用紙部分とを一列方向とならない位置に設けるようにしてもよい。
【図面の簡単な説明】
【００３３】
【図１】本発明の第１実施形態に係る記入用紙である葉書用紙の表面から見た状態を示す斜視図である。
【図２】本発明の第１実施形態に係る記入用紙である葉書用紙の裏面から見た状態を示す斜視図である。
【図３】本発明の第１実施形態に係る記入用紙である葉書用紙の記入部を隠蔽させた状態を示す斜視図である。
【図４】図２のＡ−Ａ線断面図である。
【図５】本発明の第１実施形態に係る記入用紙である葉書用紙で、剥離剤塗布部を有する用紙部分を切り離した状態を示す断面図である。
【図６】本発明の第１実施形態に係る記入用紙である葉書用紙で、剥離剤塗布部を有する用紙部分を切り離し、粘着剤塗布部を有する用紙部分を折り畳んで記入部を隠蔽させた状態を示す断面図である。
【図７】本発明の第２実施形態に係る記入用紙であるアンケート用紙の表面から見た状態を示す斜視図である。
【図８】本発明の第２実施形態に係る記入用紙であるアンケート用紙の記入部を隠蔽させた状態を示す斜視図である。
【符号の説明】
【００３４】
１  葉書用紙
２  葉書本体部
３，２２  折り畳み予定部
４，２３  剥離部
５，２５  記入部
６  切り取り用ミシン
７，２６  折り畳み予定線
８  剥離剤塗布部
９  粘着剤塗布部
１０  宛先
１１  連絡事項
２０  アンケート用紙
２１  アンケート本体
２４  質問内容
【図１】
2007130859.tif 000003
【図２】
2007130859.tif 000004
【図３】
2007130859.tif 000005
【図４】
2007130859.tif 000006
【図５】
2007130859.tif 000007
【図６】
2007130859.tif 000008
【図７】
2007130859.tif 000009
【図８】
2007130859.tif 000010